(57)【要約】      （修正有）【課題】二つの部材の内側は異なる寸法を持つモータケースに跨がることができ、このため、利用が極めて便利であり、構造が簡潔であり、消費者の購買の意欲を増加させることができる扇風機用脱着可能式ろ過装置を提供する。【解決手段】二つの部材を備え、各部材は、第１端１１と第２端１２と、を有し、二つの部材の第１端１１が互いに枢着されており、二つの部材には、お互い対面する内側１３と、お互い離れる外側１４とがそれぞれ有し、二つの内側１３の間に間隔が存在し、二つの第２端１２を相対的に旋回することにより、二つの内側１３の間の間隔の大きさを変更することができ、これにより、二つの内側は扇風機のモータケースに跨がることが可能な本体と、少なくとも二つの部材のうちの一方に設けられている少なくとも一つのろ過部材と、を備える。【選択図】図４
0003222552.tif 000002
【実用新案登録請求の範囲】
【請求項１】
二つの部材を備え、前記各部材は、第１端と第２端と、を有し、前記二つの部材の前記第１端が互いに枢着されており、前記二つの部材は、互いに対面する内側と、互いに離れる外側とをそれぞれ有し、前記二つの内側の間に間隔が存在し、前記二つの第２端を相対的に旋回することにより、前記二つの内側の間隔の大きさを変更することができ、これにより、前記二つの内側は扇風機のモータケースに跨がることが可能な本体と、
少なくとも前記二つの部材のうちの一方に設けられている少なくとも一つのろ過部材と、
を備えることを特徴とする扇風機用脱着可能式ろ過装置。
【請求項２】
一方の前記第１端に第１枢着部が設けられており、他方の前記第１端に第２枢着部が設けられており、枢着部材は、軸方向に沿って前記第１枢着部と前記第２枢着部とを挿通することを特徴とする、請求項１に記載の扇風機用脱着可能式ろ過装置。
【請求項３】
前記第１枢着部と前記第２枢着部のうちの一方に第１係合歯部が設けられており、他方には、第２係合歯部がスライド可能に設けられており、前記第２係合歯部は、前記軸方向に沿って第１位置と第２位置との間にスライドすることが可能であり、前記第２係合歯部が前記第１位置に位置するときには、前記第１係合歯部が前記第２係合歯部と係合し、前記二つの部材を相対的に旋回することができなくなり、前記第２係合歯部が前記第２位置に位置するときには、前記第１係合歯部が前記第２係合歯部と係合せず、前記二つの部材を相対的に旋回することが可能となることを特徴とする、請求項２に記載の扇風機用脱着可能式ろ過装置。
【請求項４】
更に、弾性部材を備え、前記弾性部材は、前記第２係合歯部と前記二つの部材のうちの一方との間に設けられていることにより、前記第２係合歯部を前記第１位置へ常時に付勢し、前記枢着部材は、ハブであり、前記軸方向に沿って前記第１枢着部と前記第２枢着部とに選択的にスライドすることができ、前記枢着部材を押圧すると、前記第２係合歯部を前記第２位置へ押し付けることが可能であることを特徴とする、請求項３に記載の扇風機用脱着可能式ろ過装置。
【請求項５】
前記各部材は、第１ケースと、第２ケースと、を備え、前記第１ケースは前記第２ケースに組付けられており、前記第１ケースと前記第２ケースは収容空間を囲み、前記ろ過部材は前記収容空間に収容されることを特徴とする、請求項１に記載の扇風機用脱着可能式ろ過装置。
【請求項６】
前記第１ケースと前記第２ケースのうちの一方に差込口が設けられており、前記ろ過部材は前記差込口を経由して前記収容空間に入れられることを特徴とする、請求項５に記載の扇風機用脱着可能式ろ過装置。
【請求項７】
前記第１ケースは、前記第２端に第１係止部が少なくとも一つ設けられており、前記第２ケースは、前記第２端に前記第１係止部と係止する第２係止部が少なくとも一つ設けられていることを特徴とする、請求項５に記載の扇風機用脱着可能式ろ過装置。
【請求項８】
更に、二つのカバーと、二つのサンドイッチ部材と、を備え、前記二つのカバーは、それぞれ前記二つの第１ケースと前記二つの第２ケースのうちの一方をカバーして、前記二つのサンドイッチ部材を前記二つの部材の間に設けるようにすることを特徴とする、請求項５に記載の扇風機用脱着可能式ろ過装置。
【請求項９】
前記各カバーに突起が複数設けられており、前記各部材に差込穴が複数設けられており、前記各突起は前記差込穴に差し込まれることを特徴とする、請求項８に記載の扇風機用脱着可能式ろ過装置。
【請求項１０】
前記ろ過部材はフィルターであり、前記フィルターにナノ光触媒塗料が塗布されており、前記各部材内に発光部材が設けられていることを特徴とする、請求項１に記載の扇風機用脱着可能式ろ過装置。
【考案の詳細な説明】
【技術分野】
【０００１】
本考案は、扇風機用脱着可能式ろ過装置に関するものである。
【背景技術】
【０００２】
一般的な扇風機は、家庭の不可欠な電気用品の一つである。扇風機は、各種の異なる環境で使用されるために、多くの仕様を有し、例えばフロア扇、ボックス扇および卓上扇などがある。一方、国民は環境の空気の品質および体の健康をどんどん重視してきているため、例えば台湾特許ＴＷ５５３３２５号の扇風機用フィルターが配されている扇風機が市販されている。これにより、扇風機が稼働しているときに、空気は扇風機用フィルターを経由して、空気に含むホコリやゴミをろ過することが可能である。
【０００３】
しかし、このような扇風機用フィルターは、特定の寸法を持つ扇風機だけに配することが可能であるため、別の寸法を持つ扇風機は、それに対応する扇風機用フィルターを別に購入することが必要である。このため、利用は極めて不便であり、これは消費者の購買の意欲を低下させる原因となる。
【先行技術文献】
【特許文献】
【０００４】
【特許文献１】台湾特許ＴＷ５５３３２５号公報
【考案の概要】
【考案が解決しようとする課題】
【０００５】
本考案の主な目的は、異なる大きさ、寸法および形状を持つ扇風機に組付けることができ、利用が極めて便利であり、構造が簡潔であり、消費者の購買の意欲を増加させることが可能な扇風機用脱着可能式ろ過装置を提供することにある。
【課題を解決するための手段】
【０００６】
本考案に係る扇風機用脱着可能式ろ過装置によると、二つの部材を備え、各部材は、第１端と第２端と、を有し、二つの部材の第１端が互いに枢着されており、二つの部材は、互いに対面する内側と、互いに離れる外側とをそれぞれ有し、二つの内側の間に間隔が存在し、二つの第２端を相対的に旋回することにより、二つの内側の間隔の大きさを変更することができ、これにより、二つの内側は扇風機のモータケースに跨がることが可能な本体と、少なくとも二つの部材のうちの一方に設けられている少なくとも一つのろ過部材と、を備えることを特徴とする。
【０００７】
本考案に係る扇風機用脱着可能式ろ過装置によると、一方の第１端に第１枢着部が設けられており、他方の第１端に第２枢着部が設けられており、枢着部材は、軸方向に沿って第１枢着部と第２枢着部とを挿通することを特徴とする。
【０００８】
本考案に係る扇風機用脱着可能式ろ過装置によると、第１枢着部と第２枢着部のうちの一方に第１係合歯部が設けられており、他方には、第２係合歯部がスライド可能に設けられており、第２係合歯部は、軸方向に沿って第１位置と第２位置との間にスライドすることが可能であり、第２係合歯部が第１位置に位置するときには、第１係合歯部が第２係合歯部と係合し、二つの部材を相対的に旋回することができなくなり、第２係合歯部が第２位置に位置するときには、第１係合歯部が第２係合歯部と係合せず、二つの部材を相対的に旋回することが可能となることを特徴とする。
【０００９】
本考案に係る扇風機用脱着可能式ろ過装置によると、更に、弾性部材を備え、弾性部材は、第２係合歯部と二つの部材のうちの一方との間に設けられていることにより、第２係合歯部を第１位置へ常時に付勢し、枢着部材は、ハブであり、軸方向に沿って第１枢着部と第２枢着部とに選択的にスライドすることができ、枢着部材を押圧すると、第２係合歯部を第２位置へ押し付けることが可能であることを特徴とする。
【００１０】
本考案に係る扇風機用脱着可能式ろ過装置によると、各部材は、第１ケースと、第２ケースと、を備え、第１ケースは第２ケースに組付けられており、第１ケースと第２ケースは収容空間を囲み、ろ過部材は収容空間に収容されることを特徴とする。
【００１１】
本考案に係る扇風機用脱着可能式ろ過装置によると、第１ケースと第２ケースのうちの一方に差込口が設けられており、ろ過部材は差込口を経由して収容空間に入れられることを特徴とする。
【００１２】
本考案に係る扇風機用脱着可能式ろ過装置によると、第１ケースは、第２端に第１係止部が少なくとも一つ設けられており、第２ケースは、第２端に第１係止部と係止する第２係止部が少なくとも一つ設けられていることを特徴とする。
【００１３】
本考案に係る扇風機用脱着可能式ろ過装置によると、更に、二つのカバーと、二つのサンドイッチ部材と、を備え、二つのカバーは、それぞれ二つの第１ケースと二つの第２ケースのうちの一方をカバーして、二つのサンドイッチ部材を二つの部材の間に設けるようにすることを特徴とする。
【００１４】
本考案に係る扇風機用脱着可能式ろ過装置によると、各カバーに突起が複数設けられており、各部材に差込穴が複数設けられており、各突起は差込穴に差し込まれることを特徴とする。
【００１５】
本考案に係る扇風機用脱着可能式ろ過装置によると、ろ過部材はフィルターであり、フィルターにナノ光触媒塗料が塗布されており、各部材内に発光部材が設けられていることを特徴とする。
【考案の効果】
【００１６】
本考案に係る扇風機用脱着可能式ろ過装置によれば、次のような効果がある。
（１）二つの部材の第１端が互いに枢着することにより、二つの部材の内側は異なる寸法を持つモータケースに跨がることができ、このため、利用が極めて便利であり、構造が簡潔であり、消費者の購買の意欲を増加させることができる。
【００１７】
（２）二つの部材を常時にロックして任意に旋回することを防止することができ、枢着部材を押圧すると、第２係合歯部を第２位置へ押し付けることができ、このため、操作プロセスは極めて簡単である。
【図面の簡単な説明】
【００１８】
【図１】本考案の一実施形態に係る扇風機用脱着可能式ろ過装置を示す斜視図である。
【図２】本考案の一実施形態に係る扇風機用脱着可能式ろ過装置の組付け方法を示す図である
【図３】本考案の一実施形態に係る扇風機用脱着可能式ろ過装置の組付け方法を示す図である。
【図４】本考案の一実施形態に係る扇風機用脱着可能式ろ過装置を示す分解斜視図である。
【図５】本考案の一実施形態に係る扇風機用脱着可能式ろ過装置及びその一部を示す分解斜視図である。
【図６】本考案の一実施形態に係るろ過部材の組付け方法を示す図である。
【図７】本考案の一実施形態に係る之扇風機用脱着可能式ろ過装置を示す上面断面図である。
【図８】本考案の一実施形態に係る扇風機用脱着可能式ろ過装置の操作を示す図である。
【図９】本考案の一実施形態に係る扇風機用脱着可能式ろ過装置の操作を示す図である。
【図１０】本考案の一実施形態に係る扇風機用脱着可能式ろ過装置の旋回を示す図である。
【図１１】本考案の一実施形態に係る扇風機用脱着可能式ろ過装置の旋回を示す図である。
【考案を実施するための形態】
【００１９】
以下、本考案の実施の形態を図面に基づいて説明する。
【００２０】
図１から図１１を参照する。本考案の一実施形態に係る扇風機用脱着可能式ろ過装置は、本体８と、少なくとも一つのろ過部材４１と、を備える。
【００２１】
本体８は、二つの部材１を備える。各部材１は、第１端１１と第２端１２と、を有する。二つの部材１の第１端１１は互いに枢着する。二つの部材１は、互いに対面する内側１３と、互いに離れる外側１４と、をそれぞれ有する。二つの内側１３の間に間隔１５が存在する。二つの第２端１２を相対的に旋回することにより、二つの内側１３の間にある間隔１５の大きさを変更することが可能である。これにより、二つの内側１３は扇風機９のモータケース９１に跨がることが可能である。
【００２２】
少なくとも一つのろ過部材４１は、少なくとも二つの部材１のうちの一方に設けられている。本実施形態では、二つの部材１にろ過部材４１がそれぞれ設けられている。二つの部材１の第１端１１が互いに枢着することにより、二つの部材１の内側１３は、異なる寸法を持つモータケース９１に跨がることができる。このため、本考案に係る扇風機用脱着可能式ろ過装置によれば、利用が極めて便利であり、構造が簡潔であり、消費者の購買の意欲を増加させることが可能である。
【００２３】
特に、ろ過部材４１はフィルター４１１であり、フィルター４１１にナノ光触媒塗料（図示せず）が塗布されており、各部材１内に発光部材５が設けられていることが好ましい。本実施形態では、発光部材５は二つのＬＥＤ発光ライトバーである。発光部材５が発光しているときに、ナノ光触媒塗料は酸化作用を強く発生して、フィルター４１１に付着する汚れ又は有機物質を水および二酸化炭素に分解することができる。これにより、空気に含有する細菌、ウイルス、カビなどの微生物を消滅させることができ、且つホルムアルデヒド及び各種類の有機氣体と窒素酸化物などを分解することもでき、空気を有効に浄化することが可能である。
【００２４】
具体的に、本実施形態に係る第１端１１のうちの一方に第１枢着部１６が設けられており、他方の第１端１１に第２枢着部１７が設けられており、枢着部材２１は、軸方向２２に沿って、第１枢着部１６と第２枢着部１７とを挿通する。
【００２５】
第１枢着部１６と第２枢着部１７とのうちの一方に第１係合歯部２３が設けられており、他方に第２係合歯部２４がスライド可能に設けられており、第２係合歯部２４は、軸方向２２に沿って第１位置と第２位置との間にスライドすることが可能であることが好ましい。第２係合歯部２４が前記第１位置に位置するときに、第１係合歯部２３は第２係合歯部２４と係合して、二つの部材１は相対的に旋回することができない。これにより、二つの部材１が任意に旋回してモータケース９１から落下することを防止することができる。第２係合歯部２４が前記第２位置に位置するときに、第１係合歯部２３は第２係合歯部２４と係合せず、二つの部材１は相対的に旋回することができ、間隔１５の大きさを調整することができる。
【００２６】
本実施形態では、更に、弾性部材２５を備える。弾性部材２５は、第２係合歯部２４と二つの部材１のうちの一方との間に設けられており、第２係合歯部２４を前記第１位置へ常時に付勢する。これにより、二つの部材１は、常時にロックされ、任意に旋回が不能となる。枢着部材２１は、ハブであり、軸方向２２に沿って、第１枢着部１６及び第２枢着部１７に対して選択的にスライドすることが可能である。枢着部材２１を押圧すると、図８及び図９に示すように、第２係合歯部２４を前記第２位置へ押し付ける。このため、操作のプロセスは極めて簡単である。
【００２７】
詳細には、各部材１は、第１ケース３１と、第２ケース３２と、を備える。第１ケース３１は第２ケース３２に組付けられている。第１ケース３１と前記第２ケース３２は収容空間３３を囲む。ろ過部材４１は収容空間３３に収容される。第１ケース３１と第２ケース３２のうちの一方に差込口３４が設けられている。ろ過部材４１は、差込口３４を経由して収容空間３３に入れられる。これにより、第１ケース３１と第２ケース３２を分解せず、ろ過部材４１を脱着することができる。
【００２８】
第１ケース３１は、第２端１２に第１係止部３５が少なくとも一つ設けられている。第２ケース３２は、第２端１２に、第１係止部３５と係止する第２係止部３６が少なくとも一つ設けられている。これにより、第１ケース３１に第２ケース３２を組付けることができる。本実施形態では、第１係止部３５が二つあり、第２係止部３６が二つある。
【００２９】
扇風機９に組付けられる脱着可能式ろ過装置は、更に、二つのカバー４２と、二つのサンドイッチ部材４３と、を備えることが好ましい。二つのカバー４２は、二つの第１ケース３１と二つの第２ケース３２のうちの一方をそれぞれカバーして、二つのサンドイッチ部材４３を二つの部材１の間に設ける。本実施形態では、二つのサンドイッチ部材４３はろ過層である。サンドイッチ部材４３により、扇風機用脱着可能式ろ過装置のろ過効果は更に良くなる。もちろん、各サンドイッチ部材４３は芳香フィルムなどでもよい。各カバー４２に突起４４が複数設けられている。各部材１に差込穴４５が複数設けられている。各突起４４は差込穴４５に差し込む。これにより、脱着作業は便利となる。
【００３０】
本考案に係る扇風機用脱着可能式ろ過装置によれば、二つの部材の第１端が互いに枢着することにより、二つの部材の内側は異なる寸法を持つモータケースに跨がることができ、このため、利用が極めて便利であり、構造が簡潔であり、消費者の購買の意欲を増加させることができる。そして二つの部材を常時にロックして任意に旋回することを防止することができ、枢着部材を押圧すると、第２係合歯部を第２位置へ押し付けることができ、このため、操作プロセスは極めて簡単である。
【００３１】
上記では、種々の実施の形態および変形例を説明したが、本考案はこれらの内容に限定されるものではない。本考案の技術的思想の範囲内で考えられるその他の態様も本考案の範囲内に含まれる。
【符号の説明】
【００３２】
１    部材
５    発光部材
８    本体
９    扇風機
１１    第１端
１２    第２端
１３    内側
１４    外側
１５    間隔
１６    第１枢着部
１７    第２枢着部
２１    枢着部材
２２    軸方向
２３    第１係合歯部
２４    第２係合歯部
２５    弾性部材
３１    第１ケース
３２    第２ケース
３３    収容空間
３４    差込口
３５    第１係止部
３６    第２係止部
４１    ろ過部材
４２    カバー
４３    サンドイッチ部材
４４    突起
４５    差込穴
９１    モータケース
４１１    フィルター
【図１】
0003222552.tif 000003
【図２】
0003222552.tif 000004
【図３】
0003222552.tif 000005
【図４】
0003222552.tif 000006
【図５】
0003222552.tif 000007
【図６】
0003222552.tif 000008
【図７】
0003222552.tif 000009
【図８】
0003222552.tif 000010
【図９】
0003222552.tif 000011
【図１０】
0003222552.tif 000012
【図１１】
0003222552.tif 000013